(57)【要約】【課題】            羽根車の主板に発生する結露をなくすことができる同時給排気式の片軸モータで駆動する換気装置を得る。【解決手段】        建物の外部と室内とを室外吸込口と室内吹出口を通じて繋がる給気風路と、建物の室内と外部とを室内吸込口と室外吹出口を通じて繋がる排気風路と、給気風路に室外吸込口から室内吹出口へ向う給気流を形成する送風機８と、排気風路に室内吸込口から室外吹出口へ向う排気流を形成する送風機９とを備える。各送風機８，９は、単一の片軸モータ１０によって運転し、隔壁１４で隔てられた二つの羽根車１１，１２が回転する構成である。そして、送風機８，９の給気風路側になる送風機８における羽根車１１の主板１７のボス１８近くに小孔１９を設ける。【選択図】          図２
2006308165.tif 000002
【特許請求の範囲】
【請求項１】
建物の外部と室内とを室外吸込口と室内吹出口を通じて繋がる給気風路と、建物の室内と外部とを室内吸込口と室外吹出口を通じて繋がる排気風路と、前記給気風路に前記室外吸込口から前記室内吹出口へ向う給気流を形成する送風機と、前記排気風路に前記室内吸込口から前記室外吹出口へ向う排気流を形成する送風機とを備え、前記各送風機が単一の片軸モータによって運転し、隔壁で隔てられた構成の換気装置であって、前記送風機の給気風路側になる送風機における羽根車の主板のボス近くに孔を設けた換気装置。
【請求項２】
建物の外部と室内とを室外吸込口と室内吹出口を通じて繋がる給気風路と、建物の室内と外部とを室内吸込口と室外吹出口を通じて繋がる排気風路と、前記給気風路に前記室外吸込口から前記室内吹出口へ向う給気流を形成する送風機と、前記排気風路に前記室内吸込口から前記室外吹出口へ向う排気流を形成する送風機とを備え、前記各送風機が単一の片軸モータによって運転し、隔壁で隔てられた構成の換気装置であって、前記送風機の給気風路側になる送風機における羽根車の主板と前記隔壁との間の空間での空気の流れを阻止する気流阻止構造を設けた換気装置。
【請求項３】
請求項２に記載の換気装置であって、気流阻止構造が主板の背面に設けたリング状の突起である換気装置。
【請求項４】
請求項２に記載の換気装置であって、気流阻止構造が隔壁の主板側に設けたリング状の突起である換気装置。
【請求項５】
建物の外部と室内とを室外吸込口と室内吹出口を通じて繋がる給気風路と、建物の室内と外部とを室内吸込口と室外吹出口を通じて繋がる排気風路と、前記給気風路に前記室外吸込口から前記室内吹出口へ向う給気流を形成する送風機と、前記排気風路に前記室内吸込口から前記室外吹出口へ向う排気流を形成する送風機とを備え、前記各送風機が単一の片軸モータによって運転し、隔壁で隔てられた構成の換気装置であって、前記送風機の給気風路側になる送風機における羽根車の主板のボス近くに孔を設け、その羽根車の前記主板と前記隔壁との間の空間での空気の流れを阻止する気流阻止構造を設けた換気装置。
【発明の詳細な説明】
【技術分野】
【０００１】
本発明は、同時給排気式の換気装置に関するものである。
【背景技術】
【０００２】
換気装置の中には、同時給排気するものがある。この種のものでは、給気送風機と排気送風機を両軸モータで駆動させるものや、片軸モータで駆動させるものがある。片軸モータで駆動させるものでは、給気送風機と排気送風機の羽根ケーシングが合わさった構造が採られ、各羽根車の回転する部屋が隔壁で隔てられている（特許文献１参照）。
【０００３】
【特許文献１】特開平１０−２５３１１８号公報
【発明の開示】
【発明が解決しようとする課題】
【０００４】
片軸モータで二つの羽根車を回す換気装置では、片軸モータの回転軸を隔壁を貫いて片側の羽根ケーシングに延出させるため、隔壁には軸挿通孔が設けられている。ダクトで室外へ排気し、ダクトから外気を取入れるものでは、給気のためのダクトの出口端に臨む形
で給気送風機があり、排気送風機は給気送風機に並んで配置される。このような換気装置では、外気温がかなり低いとき、給気送風機の羽根車の主板に結露が発生する問題があった。そこで、隔壁の断熱性を高め、排気送風機側と給気送風機側の断熱を図る構造が採用されたが、量的には減少するものの依然として結露は発生していたし、断熱構造により装置が大型化する問題もあった。こうした結露発生の問題は、熱交換器を備えた熱交換換気型の換気装置でも同様に起こるものである。
【０００５】
本発明は、上記した課題を解決するためになされたものであり、その目的とするところは、羽根車の主板に発生する結露をなくすことができる同時給排気式の片軸モータで駆動する換気装置を得ることであり、その換気装置の小型化を推進することである。
【課題を解決するための手段】
【０００６】
本発明は、羽根車の主板に結露が発生することの原因を、隔壁に開けられた軸挿通孔から負圧となる送風機側へ空気が流れ込むためであり、これを防止する工夫を講じた。即ち、建物の外部と室内とを室外吸込口と室内吹出口を通じて繋がる給気風路と、建物の室内と外部とを室内吸込口と室外吹出口を通じて繋がる排気風路と、給気風路に室外吸込口から室内吹出口へ向う給気流を形成する送風機と、排気風路に室内吸込口から室外吹出口へ向う排気流を形成する送風機とを備え、各送風機が単一の片軸モータによって運転し、隔壁で隔てられた構成の換気装置に対して、送風機の給気風路側の送風機における羽根車の主板のボス近くに孔を設けた。
【発明の効果】
【０００７】
本発明によれば、羽根車の主板に発生する結露をなくすことができる同時給排気式の片軸モータで駆動する換気装置が得られ、換気装置の小型化も推進できる。
【発明を実施するための最良の形態】
【０００８】
本発明の換気装置は、同時給排気式でありダクトを介して室内外が連絡される。即ち、建物の外部と室内とを室外吸込口と室内吹出口を通じて繋がる給気風路と、建物の室内と外部とを室内吸込口と室外吹出口を通じて繋がる排気風路とが本体箱体に構成されている。室外吸込口と室外吹出口は、ダクトで室外へ連絡される。給気風路には、室外吸込口から室内吹出口へ向う給気流を形成する送風機が設けられている。排気風路には、室内吸込口から室外吹出口へ向う排気流を形成する送風機が設けられている。これら各送風機は、単一の片軸モータによって、同軸に取付けられた二つの羽根車が回転する構成である。片軸モータの回転軸は、二つの羽根ケーシングを仕切る隔壁に開けられた軸挿通孔に挿通されている。給気風路の送風機の吹出側と排気風路の送風機の吹出側には、熱交換器が組込まれ、給排気流間で連続的に熱交換が行われる。排気用の送風機に対して負圧になる給気用の送風機について、その羽根車の主板のボス近くに孔が設けられている。
【０００９】
この換気装置は室内の壁等に設置し、室外吹出口と室外吸込口とを壁等を貫通させ設けたダクトで建物の外に臨ませることによって、換気機能を果たす。送風機により室外吸込口から吸込まれた外気は、熱交換器を経て室内吹出口から室内へ吹出され、送風機により室内吸込口から吸込まれた室内空気は、熱交換器を経て室外吹出口から室外へ排気される。換気運転中において給気用の送風機の羽根ケーシング内は、排気用の送風機の羽根ケーシング内より負圧になる。これは、ダクトの圧損や熱交換器による圧損によるものである。従って、回転軸が挿通された軸挿通孔と回転軸の隙間を通して排気流が極一部であるが給気用の送風機側に流れ込む。流れ込んだ排気流は、羽根車の主板のボス近くに開けた孔から羽根車内に入り、給気流と混合して羽根車から出ていく。羽根車の主板の表裏の温度差は小さくなっている。外気温がかなり低いときでも給気用の送風機の羽根車の主板の表裏の温度差は少ないため、主板に結露は発生しない。断熱構造を設ける必要がないので断熱構造により装置が大型化するといった問題もなくなる。
【００１０】
実施の形態１．
図１〜図６によって示す本実施の形態は、同時給排気式の換気装置に関するものである。図１は、換気装置全体の構成を断面によって示す構成図、図２は、図１のＡ矢印部の拡大断面図、図３は、羽根車の主板を示す平面図、図４は、羽根車の他の形態の主板を示す平面図、図５は、図１のＡ矢印部の他の構成を示す拡大断面図、図６は、図１のＡ矢印部のさらに他の構成を示す拡大断面図である。本発明の換気装置は、同時給排気式でありダクト(図示しない)を介して室内外が連絡される。
【００１１】
この換気装置は、建物の外部と室内とを室外吸込口１と室内吹出口２を通じて繋がる給気風路３と、建物の室内と外部とを室内吸込口４と室外吹出口５を通じて繋がる排気風路６とが本体箱体７に構成されている。室外吸込口１と室外吹出口５は、それぞれダクトで室外へ連絡される。給気風路３には、室外吸込口１から室内吹出口２へ向う給気流を形成する遠心式の送風機８が設けられている。排気風路６には、室内吸込口４から室外吹出口５へ向う排気流を形成する遠心式の送風機９が設けられている。これら各送風機８，９は、単一の片軸モータ１０によって、同軸に取付けられた二つの羽根車１１，１２が回転する構成である。片軸モータ１０の回転軸１３は、二つの羽根ケーシングを仕切る隔壁１４に開けられた軸挿通孔１５に挿通されている。給気風路３の送風機８の吹出側と排気風路６の送風機９の吹出側には、熱交換器１６が組込まれ、給排気流間で連続的に熱交換が行われる。排気用の送風機９に対して負圧になる給気用の送風機８については、その羽根車１１の主板１７のボス１８近くに小孔１９が等間隔に複数設けられている。なお小孔１９は、図４に示すようなスリット２０でも良い。
【００１２】
この換気装置は室内の壁等に設置し、室外吹出口５と室外吸込口１とを壁等を貫通させ設けたダクトで建物の外に臨ませることによって、換気機能を果たす。給気用の送風機８により室外吸込口１から吸込まれた外気は、熱交換器１６を経て室内吹出口２から室内へ吹出され、排気用の送風機９により室内吸込口４から吸込まれた室内空気は、熱交換器１６を経て室外吹出口５から室外へ排気される。換気運転中において給気用の送風機８の羽根ケーシング内は、排気用の送風機９の羽根ケーシング内より負圧になる。これは、ダクトの圧損や熱交換器１６等による圧損によるものである。従って、回転軸１３が挿通された軸挿通孔１５と回転軸１３の隙間を通して排気流が極一部ではあるが給気用の送風機８側に流れ込む。流れ込んだ排気流は、羽根車１１の主板１７のボス１８近くに開けた小孔１９から羽根車１１内に入り、給気流と混合して羽根車１１から出ていく。この間、羽根車１１の主板１７の表裏の温度差は小さくなっている。外気温がかなり低いときでも給気用の送風機８の羽根車１１の主板１７の表裏の温度差は少ないため、主板１７に結露は発生しない。断熱構造を設ける必要がないので断熱構造により装置が大型化するといった問題もなく、主板１７と隔壁１４は近接させ得るので小型化が推進できる。
【００１３】
熱交換器１６の配置やダクトの配管等により、負圧になる関係が前述とは逆になることがある。この場合には排気用の送風機９の羽根車１２の主板１７に小孔１９を設けることになる。
【００１４】
主板１７での結露の発生は、軸挿通孔１５からの空気移動である。従って、負圧になる送風機８における羽根車１１の主板１７と隔壁１４との間の空間での空気の流れを阻止する気流阻止構造を設けても結露を防止することができる。気流阻止構造としては、図５に示すように主板１７の背面と隔壁とに回転可能に噛み合うリング状の突起２１とする。この突起２１は主板１７、隔壁１４のいずれか一方に設けても良い。気流阻止構造による結露防止は、主板１７と隔壁１４のクリアランスが必要で、装置の小型化には余り機能しないが、主板１７の表裏の温度差を無くし結露の発生については防止できる。
【００１５】
また、図６に示すように小孔１９の外側に突起２１を設け、小孔１９と突起２１の双方を設けることにより、突起２１については立ちを小さくでき、小型化と結露防止の双方を押し図ることができる。
【図面の簡単な説明】
【００１６】
【図１】換気装置全体の構成を断面によって示す構成図である。（実施の形態１）
【図２】図１のＡ矢印部の拡大断面図である。（実施の形態１）
【図３】羽根車の主板を示す平面図である。（実施の形態１）
【図４】羽根車の他の形態の主板を示す平面図である。（実施の形態１）
【図５】図１のＡ矢印部の他の構成を示す拡大断面図である。（実施の形態１）
【図６】図１のＡ矢印部のさらに他の構成を示す拡大断面図である。（実施の形態１）
【符号の説明】
【００１７】
１  室外吸込口、  ２  室内吹出口、  ３  給気風路、  ４  室内吸込口、  ５  室外吹出口、  ６  排気風路、  ８  送風機、  ９  送風機、  １０  片軸モータ、  １１  羽根車、  １４  隔壁、  １５  軸挿通孔、  １７  主板、  １８  ボス、  １９  小孔、  ２１  突起。
【図１】
2006308165.tif 000003
【図２】
2006308165.tif 000004
【図３】
2006308165.tif 000005
【図４】
2006308165.tif 000006
【図５】
2006308165.tif 000007
【図６】
2006308165.tif 000008